【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
アクセスポイントのためのワイヤレス通信の方法であって、
第１のデータシンボルの通信のための第１の複数のリソースユニットを決定することと、
第２のデータシンボルの通信のための第２の複数のリソースユニットを決定することと、ここにおいて、前記第２のデータシンボルは前記第１のデータシンボルに後続する、
前記第１の複数のリソースユニットのうちの少なくとも１つのリソースユニットにパイロット信号の第１の集合を生成することと、ここにおいて、前記第１の複数のリソースユニットのうちの前記少なくとも１つのリソースユニットにパイロット信号の前記第１の集合を生成することは、前記第１の複数のリソースユニットのうちの前記少なくとも１つのリソースユニットに関連付けられるパイロットトーン位置を決定することと、前記決定されたパイロットトーン位置に関連付けられる初期パイロットシーケンスを決定することと、を備える、
前記第２の複数のリソースユニットのうちの少なくとも１つのリソースユニットにパイロット信号の第２の集合を生成することと、ここにおいて、前記第２の複数のリソースユニットのうちの前記少なくとも１つのリソースユニットにパイロット信号の前記第２の集合を生成することは、前記初期パイロットシーケンスをシフトすることによって第２のパイロットシーケンスを決定することを備える、
前記第１の複数のリソースユニットのうちの前記少なくとも１つのリソースユニットに前記生成されたパイロット信号の第１の集合を、および前記第２の複数のリソースユニットのうちの前記少なくとも１つのリソースユニットに前記生成されたパイロット信号の第２の集合を、送信することと、
を備える、方法。
【請求項２】
通信のための前記第１の複数のリソースユニットを決定することは、
通信帯域幅を決定することと、
前記決定された通信帯域幅に基づいてリソースユニットごとの使用可能なトーンの数を決定することと、
を備える、請求項１に記載の方法。
【請求項３】
前記第１の複数のリソースユニットのうちの前記少なくとも１つのリソースユニットにパイロット信号の前記第１の集合を生成することは、
前記決定された初期パイロットシーケンスおよびパイロット極性シーケンスに基づいて、前記決定されたパイロットトーン位置に対するパイロット値を決定すること、
をさらに備える、請求項１に記載の方法。
【請求項４】
前記初期パイロットシーケンスをシフトすることは、データシンボルインデックスに基づいて前記初期パイロットシーケンスをシフトすることを備える、請求項１に記載の方法。
【請求項５】
前記第２の複数のリソースユニットのうちの前記少なくとも１つのリソースユニットは、２６個の使用可能なトーンと２つのパイロットトーン位置とを有し、前記第２のパイロットシーケンスは、前記初期パイロットシーケンス｛１，−１｝に基づいて決定される、請求項１に記載の方法。
【請求項６】
前記第１の複数のリソースユニットのうちの前記少なくとも１つのリソースユニットは、５２個の使用可能なトーンまたは１０６個の使用可能なトーンを有し、４つのパイロットトーン位置を有し、前記第２のパイロットシーケンスは、前記初期パイロットシーケンス｛１，１，１，−１｝に基づいて決定される、請求項１に記載の方法。
【請求項７】
前記第１の複数のリソースユニットのうちの前記少なくとも１つのリソースユニットは、２４２個の使用可能なトーンを有し、８つのパイロットトーン位置を有し、前記第２のパイロットシーケンスは、前記初期パイロットシーケンス｛１，１，１，−１，−１，１，１，１｝に基づいて決定される、請求項１に記載の方法。
【請求項８】
前記第１の複数のリソースユニットのうちの前記少なくとも１つのリソースユニットは、４８４個の使用可能なトーンまたは９９６個の使用可能なトーンを有し、１６個のパイロットトーン位置を有し、前記第２のパイロットシーケンスは、前記初期パイロットシーケンス｛１，１，１，−１，−１，１，１，１，１，１，１，−１，−１，１，１，１｝に基づいて決定される、請求項１に記載の方法。
【請求項９】
前記第１の複数のリソースユニットのうちの前記少なくとも１つのリソースユニットは、１９９２個の使用可能なトーンと３２個のパイロットトーン位置とを有し、前記第２のパイロットシーケンスは、前記初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、請求項１に記載の方法。
【請求項１０】
前記生成されたパイロット信号の第１の集合は、プリアンブルの信号（ＳＩＧ）フィールドの中のシンボルの数に基づく、請求項１に記載の方法。
【請求項１１】
ワイヤレス通信のための装置であって、
メモリと、
前記メモリに結合される少なくとも１つのプロセッサと、を備え、ここにおいて、前記少なくとも１つのプロセッサは、
第１のデータシンボルの通信のための第１の複数のリソースユニットを決定し、
第２のデータシンボルの通信のための第２の複数のリソースユニットを決定し、ここにおいて、前記第２のデータシンボルは前記第１のデータシンボルに後続する、
前記第１の複数のリソースユニットのうちの少なくとも１つのリソースユニットにパイロット信号の第１の集合を生成し、ここにおいて、前記第１の複数のリソースユニットのうちの前記少なくとも１つのリソースユニットにパイロット信号の前記第１の集合を生成するために、前記少なくとも１つのプロセッサは、前記第１の複数のリソースユニットのうちの前記少なくとも１つのリソースユニットに関連付けられるパイロットトーン位置を決定し、前記決定されたパイロットトーン位置に関連付けられる初期パイロットシーケンスを決定するように構成される、
前記第２の複数のリソースユニットのうちの少なくとも１つのリソースユニットにパイロット信号の第２の集合を生成し、ここにおいて、前記第２の複数のリソースユニットのうちの前記少なくとも１つのリソースユニットにパイロット信号の前記第２の集合を生成するために、前記少なくとも１つのプロセッサは、前記初期パイロットシーケンスをシフトすることによって第２のパイロットシーケンスを決定するように構成される、
前記第１の複数のリソースユニットのうちの前記少なくとも１つのリソースユニットに前記生成されたパイロット信号の第１の集合を、および前記第２の複数のリソースユニットのうちの前記少なくとも１つのリソースユニットに生成されたパイロット信号の第２の集合を、送信する、
ように構成される、装置。
【請求項１２】
通信のための前記第１の複数のリソースユニットを決定するために、前記少なくとも１つのプロセッサは、
通信帯域幅を決定し、
前記決定された通信帯域幅に基づいてリソースユニットごとの使用可能なトーンの数を決定する、
ように構成される、請求項１１に記載の装置。
【請求項１３】
前記少なくとも１つのリソースユニットにパイロット信号の前記第１の集合を生成するために、前記少なくとも１つのプロセッサは、
前記決定された初期パイロットシーケンスおよびパイロット極性シーケンスに基づいて、前記決定されたパイロットトーン位置に対するパイロット値を決定する、
ように構成される、請求項１１に記載の装置。
【請求項１４】
前記初期パイロットシーケンスをシフトすることは、データシンボルインデックスに基づいて前記初期パイロットシーケンスをシフトすることを備える、請求項１１に記載の装置。
【請求項１５】
前記第２の複数のリソースユニットのうちの前記少なくとも１つのリソースユニットは、２６個の使用可能なトーンと２つのパイロットトーン位置とを有し、前記第２のパイロットシーケンスは、前記初期パイロットシーケンス｛１，−１｝に基づいて決定される、請求項１１に記載の装置。
【請求項１６】
前記第１の複数のリソースユニットのうちの前記少なくとも１つのリソースユニットは、５２個の使用可能なトーンまたは１０６個の使用可能なトーンを有し、４つのパイロットトーン位置を有し、前記第２のパイロットシーケンスは、前記初期パイロットシーケンス｛１，１，１，−１｝に基づいて決定される、請求項１１に記載の装置。
【請求項１７】
前記第１の複数のリソースユニットのうちの前記少なくとも１つのリソースユニットは、２４２個の使用可能なトーンを有し、８つのパイロットトーン位置を有し、前記第２のパイロットシーケンスは、前記初期パイロットシーケンス｛１，１，１，−１，−１，１，１，１｝に基づいて決定される、請求項１１に記載の装置。
【請求項１８】
前記第１の複数のリソースユニットのうちの前記少なくとも１つのリソースユニットは、４８４個の使用可能なトーンまたは９９６個の使用可能なトーンを有し、１６個のパイロットトーン位置を有し、前記第２のパイロットシーケンスは、前記初期パイロットシーケンス｛１，１，１，−１，−１，１，１，１，１，１，１，−１，−１，１，１，１｝に基づいて決定される、請求項１１に記載の装置。
【請求項１９】
前記第１の複数のリソースユニットのうちの前記少なくとも１つのリソースユニットは、１９９２個の使用可能なトーンと３２個のパイロットトーン位置とを有し、前記第２のパイロットシーケンスは、前記初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、請求項１１に記載の装置。
【請求項２０】
パイロット信号の前記第１の集合は、プリアンブルの信号（ＳＩＧ）フィールドの中のシンボルの数に基づいて生成される、請求項１１に記載の装置。
【請求項２１】
局のためのワイヤレス通信の方法であって、
通信のために前記局に割り振られる複数のリソースユニットを示すメッセージを受信することと、
前記受信されたメッセージに基づいて、前記複数のリソースユニットのうちの第１の１つまたは複数のリソースユニットに対するパイロット信号の第１の集合を生成することと、ここにおいて、パイロット信号の前記第１の集合を生成することは、前記複数のリソースユニットのうちの前記第１の１つまたは複数のリソースユニットに関連付けられるパイロットトーン位置を決定することと、前記決定されたパイロットトーン位置に関連付けられる初期パイロットシーケンスを決定することとを備える、
前記受信されたメッセージに基づいて、前記複数のリソースユニットのうちの第２の１つまたは複数のリソースユニットに対するパイロット信号の第２の集合を生成することと、ここにおいて、パイロット信号の前記第２の集合を生成することは、前記初期パイロットシーケンスをシフトすることによって第２のパイロットシーケンスを決定することを備える、
前記第１の１つまたは複数のリソースユニットにおいてデータおよびパイロット信号の前記生成された第１の集合を、および前記第２の１つまたは複数のリソースユニットにおいてパイロット信号の前記生成された第２の集合を、送信することと、
を備える、方法。
【請求項２２】
前記メッセージは、トーンインデックスの集合、識別子、リソースユニットごとの使用可能なトーンの数を示すリソースユニットサイズ、通信帯域幅、またはデータシンボル情報のうちの少なくとも１つを備える割振り情報を含む、請求項２１に記載の方法。
【請求項２３】
パイロット信号の前記第１の集合を生成することは、
前記決定された初期パイロットシーケンスおよびパイロット極性シーケンスに基づいて、前記決定されたパイロットトーン位置に対するパイロット値を決定することを備える、請求項２１に記載の方法。
【請求項２４】
前記初期パイロットシーケンスをシフトすることは、データシンボルインデックスに基づいて前記初期パイロットシーケンスをシフトすることを備える、請求項２１に記載の方法。
【請求項２５】
前記第２の１つまたは複数のリソースユニットの各リソースユニットは、２６個の使用可能なトーンと２つのパイロットトーン位置とを有し、前記第２のパイロットシーケンスは、前記初期パイロットシーケンス｛１，−１｝に基づいて決定される、請求項２１に記載の方法。
【請求項２６】
前記第２の１つまたは複数のリソースユニットの各リソースユニットは、５２個の使用可能なトーンまたは１０６個の使用可能なトーンを有し、４つのパイロットトーン位置を有し、前記第２のパイロットシーケンスは、前記初期パイロットシーケンス｛１，１，１，−１｝に基づいて決定される、請求項２１に記載の方法。
【請求項２７】
前記第２の１つまたは複数のリソースユニットの各リソースユニットは、２４２個の使用可能なトーンを有し、８つのパイロットトーン位置を有し、前記第２のパイロットシーケンスは、前記初期パイロットシーケンス｛１，１，１，−１，−１，１，１，１｝に基づいて決定される、請求項２１に記載の方法。
【請求項２８】
前記第２の１つまたは複数のリソースユニットの各リソースユニットは、４８４個の使用可能なトーンまたは９９６個の使用可能なトーンを有し、１６個のパイロットトーン位置を有し、前記第２のパイロットシーケンスは、前記初期パイロットシーケンス｛１，１，１，−１，−１，１，１，１，１，１，１，−１，−１，１，１，１｝に基づいて決定される、請求項２１に記載の方法。
【請求項２９】
前記第２の１つまたは複数のリソースユニットの各リソースユニットは、１９９２個の使用可能なトーンと３２個のパイロットトーン位置とを有し、前記第２のパイロットシーケンスは、前記初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、請求項２１に記載の方法。
【請求項３０】
パイロット信号の前記生成された第１の集合は、プリアンブルの信号（ＳＩＧ）フィールドの中のシンボルの数に基づく、請求項２１に記載の方法。
【請求項３１】
ワイヤレス通信のための装置であって、前記装置が局であり、
メモリと、
前記メモリに結合される少なくとも１つのプロセッサと、を備え、ここにおいて、前記少なくとも１つのプロセッサは、
通信のために前記局に割り振られる複数のリソースユニットを示すメッセージを受信し、
前記受信されたメッセージに基づいて、前記複数のリソースユニットのうちの第１の１つまたは複数のリソースユニットに対するパイロット信号の第１の集合を生成し、ここにおいて、パイロット信号の前記第１の集合を生成するために、前記少なくとも１つのプロセッサは、前記複数のリソースユニットのうちの前記第１の１つまたは複数のリソースユニットに関連付けられるパイロットトーン位置を決定し、前記決定されたパイロットトーン位置に関連付けられる初期パイロットシーケンスを決定するように構成される、
前記受信されたメッセージに基づいて、前記複数のリソースユニットのうちの第２の１つまたは複数のリソースユニットに対するパイロット信号の第２の集合を生成し、ここにおいて、パイロット信号の前記第２の集合を生成するために、前記少なくとも１つのプロセッサは、前記初期パイロットシーケンスをシフトすることによって第２のパイロットシーケンスを決定するように構成される、
前記第１の１つまたは複数のリソースユニットにおいてデータおよびパイロット信号の前記生成された第１の集合を、および前記第２の１つまたは複数のリソースユニットにおいてパイロット信号の前記生成された第２の集合を、送信する、
ように構成される、装置。
【請求項３２】
前記メッセージは、トーンインデックスの集合、識別子、リソースユニットごとの使用可能なトーンの数を示すリソースユニットサイズ、通信帯域幅、またはデータシンボル情報のうちの少なくとも１つを備える割振り情報を含む、請求項３１に記載の装置。
【請求項３３】
前記少なくとも１つのプロセッサは、
前記決定された初期パイロットシーケンスおよびパイロット極性シーケンスに基づいて、前記決定されたパイロットトーン位置に対するパイロット値を決定すること、
によって、パイロット信号の前記第１の集合を生成するように構成される、請求項３１に記載の装置。
【請求項３４】
前記初期パイロットシーケンスをシフトすることは、データシンボルインデックスに基づいて前記初期パイロットシーケンスをシフトすることを備える、請求項３１に記載の装置。
【請求項３５】
前記第２の１つまたは複数のリソースユニットの各リソースユニットは、２６個の使用可能なトーンと２つのパイロットトーン位置とを有し、前記第２のパイロットシーケンスは、前記初期パイロットシーケンス｛１，−１｝に基づいて決定される、請求項３１に記載の装置。
【請求項３６】
前記第２の１つまたは複数のリソースユニットの各リソースユニットは、５２個の使用可能なトーンまたは１０６個の使用可能なトーンを有し、４つのパイロットトーン位置を有し、前記第２のパイロットシーケンスは、前記初期パイロットシーケンス｛１，１，１，−１｝に基づいて決定される、請求項３１に記載の装置。
【請求項３７】
前記第２の１つまたは複数のリソースユニットの各リソースユニットは、２４２個の使用可能なトーンを有し、８つのパイロットトーン位置を有し、前記第２のパイロットシーケンスは、前記初期パイロットシーケンス｛１，１，１，−１，−１，１，１，１｝に基づいて決定される、請求項３１に記載の装置。
【請求項３８】
前記第２の１つまたは複数のリソースユニットの各リソースユニットは、４８４個の使用可能なトーンまたは９９６個の使用可能なトーンを有し、１６個のパイロットトーン位置を有し、前記第２のパイロットシーケンスは、前記初期パイロットシーケンス｛１，１，１，−１，−１，１，１，１，１，１，１，−１，−１，１，１，１｝に基づいて決定される、請求項３１に記載の装置。
【請求項３９】
前記第２の１つまたは複数のリソースユニットの各リソースユニットは、１９９２個の使用可能なトーンと３２個のパイロットトーン位置とを有し、前記第２のパイロットシーケンスは、前記初期パイロットシーケンス｛１，１，１，−１，−１，１，１，１，１，１，１，−１，−１，１，１，１，１，１，１，−１，−１，１，１，１，１，１，１，−１，−１，１，１，１｝に基づいて決定される、請求項３１に記載の装置。
【請求項４０】
パイロット信号の前記第１の集合を前記生成することは、プリアンブルの信号（ＳＩＧ）フィールドの中のシンボルの数に基づく、請求項３１に記載の装置。
【請求項４１】
コードを記憶した非一時的コンピュータ可読媒体であって、前記コードは、実行されると、局に、
通信のために前記局に割り振られる複数のリソースユニットを示すメッセージを受信させ、
前記受信されたメッセージに基づいて、前記複数のリソースユニットのうちの第１の１つまたは複数のリソースユニットに対するパイロット信号の第１の集合を生成させ、ここにおいて、前記局に、パイロット信号の前記第１の集合を生成させる前記コードは、実行されると、前記局に、前記複数のリソースユニットのうちの前記第１の１つまたは複数のリソースユニットに関連付けられるパイロットトーン位置を決定させ、前記決定されたパイロットトーン位置に関連付けられる初期パイロットシーケンスを決定させるコードを含む、
前記受信されたメッセージに基づいて、前記複数のリソースユニットのうちの第２の１つまたは複数のリソースユニットに対するパイロット信号の第２の集合を生成させ、ここにおいて、前記局に、パイロット信号の前記第２の集合を生成させる前記コードは、実行されると、前記局に、前記初期パイロットシーケンスをシフトすることによって第２のパイロットシーケンスを決定させるコードを含む、
前記第１の１つまたは複数のリソースユニットにおいてデータおよびパイロット信号の前記生成された第１の集合を、および前記第２の１つまたは複数のリソースユニットにおいてパイロット信号の前記生成された第２の集合を、送信させる、
非一時的コンピュータ可読媒体。